(57)【要約】【課題】受信機ソフトウェアの更新を、受信機ハード個体を限定して実施したり、ユーザーの利用状態に応じて実施したりすることのできる受信機を提供する。【解決手段】受信機の情報格納用メモリー１０７上に個体識別を表す数字や文字・記号を出荷までに記憶させる。ソフトウェア更新を行う事が決定したら、告知情報中の「メーカーが自由に利用できる情報エリア＝private_data_byte」に更新対象となる受信機個体を特定する数字や文字・記号を記載し、放送波での送出を開始する。受信機は告知情報をチューナー部１０１、デモジュレータ部１０２、ＤｅＭＵＸ部１０３を経てＣＰＵ部１０６との間で「メーカーＩＤ」「モデルＩＤ」を取得し、自己機が対象と判断できれば告知情報の「private_data_byte」と情報格納用メモリー１０７の個体識別を表す情報と比較処理し、一致した場合「ソフトウェア送出チャンネルと日時の情報」を基に予約起動用サブＣＰＵ１０８へ受信予約登録を行う。【選択図】図１
2008278098.tif 000002
【特許請求の範囲】
【請求項１】
告知情報のprivate_data_byteの情報を取得可能なデジタル放送受信機であって、
受信機それぞれの個体を個別に特定できる個体識別情報を参照し、放送波による受信機ソフトウェアの更新の際に実施対象となる前記個体識別情報を記載したprivate_data_byteと照合することにより、ソフトウェア更新の必要性を判別する判定手段を有することを特徴とするデジタル放送受信機。
【請求項２】
さらに、個体識別情報を新たに保持させる手段を有することを特徴とする請求項１に記載の受信機。
【請求項３】
告知情報のprivate_data_byteの情報を取得可能なデジタル放送受信機であって、
使用された機能の操作履歴を保持するメモリー装置と、
前記の操作履歴を参照し、放送波による受信機ソフトウェアの更新の際に対象となる受信状態を記載したprivate_data_byteと照合させ、ソフトウェア更新の必要性を判別する判定手段と
を有することを特徴とするデジタル放送受信機。
【請求項４】
告知情報のprivate_data_byteの情報を取得可能なデジタル放送受信機であって、
視聴履歴を保持するメモリー装置と、
前記視聴履歴を参照し、放送波による受信機ソフトウェアの更新の際に対象となる視聴履歴を記載したprivate_data_byteと照合させ、ソフトウェア更新の必要性を判別する判定手段と
を有することを特徴とするデジタル放送受信機。
【請求項５】
告知情報のtext_charの情報を取得可能なデジタル放送受信機であって、
個体識別情報を保持する手段と、
受信機それぞれの個体を個別に特定できる個体識別情報を参照し、放送波による受信機ソフトウェアの更新の際に実施対象となる前記個体識別情報を記載したtext_charと照合させ、ソフトウェア更新の必要性を判別する判定手段と
を有することを特徴とするデジタル放送受信機。
【請求項６】
告知情報のtext_charの情報を取得可能なデジタル放送受信機であって、
さらに、個体識別情報を新たに保持させる手段を有することを特徴とする請求項５に記載のデジタル放送受信機。
【請求項７】
告知情報のtext_charの情報を取得可能なデジタル放送受信機であって、
使用した機能の操作履歴を保持するメモリー装置と、
前記操作履歴を参照し、放送波による受信機ソフトウェアの更新の際に更新対象となる受信状態を記載したtext_charと照合させ、ソフトウェア更新の必要性を判別する判定手段と
を有することを特徴とするデジタル放送受信機。
【請求項８】
告知情報のtext_charの情報を取得可能なデジタル放送受信機であって、
ユーザーの視聴履歴を保持するメモリー装置と、
前記視聴履歴を参照し、放送波による受信機ソフトウェアの更新の際に対象となる視聴履歴を記載したtext_charと照合させ、ソフトウェア更新の必要性を判別する判定手段と
を有することを特徴とするデジタル放送受信機。
【請求項９】
デジタル放送受信機におけるソフトウェアを更新する方法であって、
デジタル放送から得られる告知情報から、ソフトウェアの更新が必要なデジタル放送受信機の個体を特定できる個体識別情報を取得し、前記個体識別情報と、自己の個体識別情報とを比較するステップと、
該比較ステップに基づいて、ソフトウェアの更新が必要な個体であるかどうかを判定するステップと
を有することを特徴とする方法。
【発明の詳細な説明】
【技術分野】
【０００１】
本発明は、デジタル放送の受信機において、放送波を利用して受信機ソフトウェアの更新を行なう技術に関するものである。
【背景技術】
【０００２】
従来、放送波を利用した受信機ソフトウェアの更新技術では、モデル名と稼動中の受信機ソフトウェアのバージョン番号を更新対象か否かに関する判断材料（情報）としており、ハードウェアのバージョン違いや受信機個々を選択的に更新させるものではなかった。
【０００３】
下記特許文献１は、地理的識別子を利用して放送波によるチャンネル情報更新の実施判別を行なう技術が提案されている。地理的識別子を利用して、チャンネル情報更新を必要とする住所に設置された受信機を対象に更新を実行する。
【０００４】
【特許文献１】特表２００２−５１６０４１号公報
【発明の開示】
【発明が解決しようとする課題】
【０００５】
上記の提案は、更新判別に地域識別子を利用するもので、ユーザーの受信機設置地域により更新実行を細分化するものではあるが、受信機ハード個体を限定して実施したり、ユーザーの利用状態（使用した機能、選局したチャンネル、選択した放送メディア）によって更新の可否を判別するものでない。
【０００６】
本発明は、受信機ソフトウェアの更新を、受信機ハード個体を限定して実施したり、ユーザーの利用状態に応じて実施したりすることのできる技術を提供することを目的とする。
【課題を解決するための手段】
【０００７】
本発明の一観点によれば、告知情報のprivate_data_byteの情報を取得可能なデジタル放送受信機であって、受信機を特定できる個体識別情報を参照し、放送波による受信機ソフトウェアの更新の際に実施対象となる前記個体識別情報を記載したprivate_data_byteと照合することにより、ソフトウェア更新の必要性を判別する判定手段を有することを特徴とするデジタル放送受信機が提供される。
【０００８】
これにより、受信機の個体識別情報（例えば、受信機が固有で保持している番号や文字・記号等）とprivate_data_byteに記載された個体識別情報（番号や文字・記号）とが一致した場合（この他、一致しなかった場合や数字や文字の範囲を限定するものなどであっても良い）に、受信機ソフトウェアの更新が必要であると判定する。この判定に基づいて、受信機ソフトウェアの更新を実行させることができる。
【０００９】
さらに、個体識別情報を新たに保持させる手段を有することが好ましい。
これにより、例えばＬＡＮシステムのＭＡＣ−ＩＤを取得して受信機個体固有の個体識別情報として用い、その個体識別情報とprivate_data_byteに記載された情報とが一致した場合に、受信機ソフトウェアの更新が必要であると判定し、受信機ソフトウェアの更新を実行させることができる。
【００１０】
本発明の他の観点によれば、告知情報のprivate_data_byteの情報を取得可能なデジタル放送受信機であって、使用された機能の操作履歴を保持するメモリー装置と、前記の操作履歴を参照し、放送波による受信機ソフトウェアの更新の際に対象となる受信状態を記載したprivate_data_byteと照合させ、ソフトウェア更新の必要性を判別する判定手段と、を有することを特徴とするデジタル放送受信機が提供される。
【００１１】
これにより、操作履歴とprivate_data_byteに記載された受信状態とが一致した場合に、受信機ソフトウェアの更新が必要であると判定し、受信機ソフトウェアの更新を実行させることができる。
【００１２】
また、告知情報のprivate_data_byteの情報を取得可能なデジタル放送受信機であって、視聴履歴を保持するメモリー装置と、前記視聴履歴を参照し、放送波による受信機ソフトウェアの更新の際に対象となる視聴履歴を記載したprivate_data_byteと照合させ、ソフトウェア更新の必要性を判別する判定手段と、を有することを特徴とするデジタル放送受信機が提供される。
【００１３】
これにより、視聴履歴とprivate_data_byteに記載された視聴履歴とが一致した場合に、受信機ソフトウェアの更新が必要であると判定し、受信機ソフトウェアの更新を実行させることができる。
【００１４】
さらに、告知情報のtext_charの情報を取得可能なデジタル放送受信機であって、個体識別情報を保持する手段と、前記個体識別情報を参照し、放送波による受信機ソフトウェアの更新の際に実施対象となる前記個体識別情報を記載したtext_charと照合させ、ソフトウェア更新の必要性を判別する判定手段と、を有することを特徴とするデジタル放送受信機が提供される。
【００１５】
これにより、受信機の個体識別情報（番号や文字・記号）とtext_charに記載された個体識別情報（番号や文字・記号）とが一致した場合に、受信機ソフトウェアの更新が必要であると判定し、受信機ソフトウェアの更新を実行させることができる。
【００１６】
また、告知情報のtext_charの情報を取得可能なデジタル放送受信機であって、さらに、個体識別情報を新たに保持させる手段を有することを請求項５に記載のデジタル放送受信機が提供される。
【００１７】
これにより、例えばＬＡＮシステムのＭＡＣ−ＩＤを受信機個体固有の個体識別情報として用い、その個体識別情報とtext_charに記載された情報とが一致した場合に、受信機ソフトウェアの更新が必要であると判定し、受信機ソフトウェアの更新を実行させることができる。
【００１８】
本発明の別の観点によれば、告知情報のtext_charの情報を取得可能なデジタル放送受信機であって、使用した機能の操作履歴を保持するメモリー装置と、前記操作履歴を参照し、放送波による受信機ソフトウェアの更新の際に更新対象となる受信状態を記載したtext_charと照合させ、ソフトウェア更新の必要性を判別する判定手段と、を有することを特徴とするデジタル放送受信機が提供される。
【００１９】
これにより、操作履歴とtext_charに記載された受信状態とが一致した場合に、受信機ソフトウェアの更新が必要であると判定し、受信機ソフトウェアの更新を実行させることができる。
【００２０】
また、告知情報のtext_charの情報を取得可能なデジタル放送受信機であって、ユーザーの視聴履歴を保持するメモリー装置と、前記視聴履歴を参照し、放送波による受信機ソフトウェアの更新の際に対象となる視聴履歴を記載したtext_charと照合させ、ソフトウェア更新の必要性を判別する判定手段と、を有することを特徴とするデジタル放送受信機が提供される。
【００２１】
これにより、視聴履歴とtext_charに記載された視聴履歴とが一致した場合に、受信機ソフトウェアの更新が必要であると判定し、受信機ソフトウェアの更新を実行させることができる。
【００２２】
本発明のさらに別の観点によれば、デジタル放送受信機におけるソフトウェアを更新する方法であって、デジタル放送から得られる告知情報から、ソフトウェアの更新が必要なデジタル放送受信機の個体を特定できる個体識別情報を取得し、前記個体識別情報と、自己の個体識別情報とを比較するステップと、該比較ステップに基づいて、ソフトウェアの更新が必要な個体であるかどうかを判定するステップと、を有することを特徴とする方法が提供される。
【００２３】
ソフトウェアの更新が必要な個体であると判定された場合に、ソフトウェアの更新処理へと進むことができる。予約は、例えば、予約起動用のサブＣＰＵに実行させることができる。
【発明の効果】
【００２４】
本発明によれば、受信機ソフトウェアの更新を、受信機ハード個体を限定して実施することができる。また、受信機ソフトウェアの更新を、ユーザーの利用状態に応じて実施することができる。従って、ソフトウェア更新をきめ細かく行なうことができる。
【発明を実施するための最良の形態】
【００２５】
本明細書において、「メーカーＩＤ」、「モデルＩＤ」などの番号や文字・記号は、モデルを限定する情報であり、「機種識別情報」として定義できる。一方、「個体識別情報」は、本特許が主張する受信機モデル中の１個体ごとを判別するものとして定義できる。
【００２６】
以下、本発明の実施の形態について、図面を参照しながら説明を行なう。
まず、放送波によるソフトウェア更新処理を行う上で必要となる告知情報の受信について説明を行なう。受信機はユーザーが任意の放送チャンネルを受信中に全放送チャンネルで送出されている告知情報を取得する。告知情報には「メーカーＩＤ」、「モデルＩＤ」、「ソフトウェア送出チャンネルと日時の情報」、「ユーザー宛のメッセージ情報＝text_char」、「メーカーが自由に利用できる情報エリア＝private_data_byte」などの情報が記載されている。
【００２７】
受信機は、「メーカーＩＤ」、「モデルＩＤ」を参照することにより、その告知情報が自己機を対象としたものか否かを判別することができる。自己機が対象であると判断された場合は、続いて、「ソフトウェア送出チャンネルと日時の情報」に基づいてソフトウェア取得のための受信予約動作に入るとともに、「ユーザー宛のメッセージ情報＝text_char」に基づいて、間も無くソフトウェア更新処理が行われるなどのメッセージを表示する処理を行なう。受信予約を行なった予約日時になると、受信機はソフトウェア更新のために起動し指定チャンネルを受信し更新処理を行う。
【００２８】
図１は、本発明の第１の実施の形態による受信機の一構成例を示す図であり、主として、放送波による受信機ソフトウェア更新動作に必要となる要素を示すものである。告知情報は、チューナー部１０１からデモジュレータ部１０２を経てＤｅＭＵＸ（Demultiplexer）部１０３に至り、ＣＰＵ部１０６によって、「メーカーＩＤ」、「モデルＩＤ」を取得し、更に告知情報中の「メーカーが自由に利用できる情報エリア＝private_data_byte」の情報も取得し受信機が出荷される前に予め受信機内に記憶された個体を識別できる番号や文字・記号等と照合し。更新対象判定を行う。自己機が更新対象と判断されると、「ソフトウェア送出チャンネルと日時の情報」を基に予約起動用サブＣＰＵ部１０８へ受信予約登録を行う。尚、予約起動用サブＣＰＵ１０８は、システムの電源起動を司るマイコンとして機能する。受信機がスタンバイ状態からリモコンなどによってＯＮ状態へ復帰する処理、タイマー予約により任意の時間に受信機をＯＮ状態にさせる役割を担う。尚、電源供給については、「スタンバイ状態」の場合ほとんどの回路の電源供給を切り、サブＣＰＵのみ供給を残すのが一般的である。すなわち、回路上サブＣＰＵのみ電源がおちないように設計されている。  上記の処理と並行して、「ユーザー宛メッセージ情報」に基づいて、ＣＰＵ部１０６は映像出力部１０５との間でメッセージ画面を生成し、間も無くソフトウェア更新処理が行われる旨を表示する。ユーザーは、この表示を見て、間も無くソフトウェア更新処理が行われることを事前に知ることができる。受信機ソフトウェア更新処理は受信機がスタンバイ状態で実施される為、ユーザーが受信機をスタンバイ状態にする事で、サブＣＰＵ１０８は待機状態を続け、受信予約登録された日時に受信機をスタンバイ状態からＯＮ状態に復帰させ所定の受信チャンネルを受信することで受信機ソフトウェアの更新処理が行われる。
【００２９】
次に、本発明の第２の実施の形態によるソフトウェア更新技術について説明を行なう。以下には、主として上記第１の実施の形態との相違点について説明を行なう。第１の実施の形態と同様にしてソフトウェア更新を行うことが決定すると、告知情報中の「メーカーが自由に利用できる情報エリア＝private_data_byte」に更新対象となる受信機個体を特定出来る受信機が、別の用途で搭載している受信機個体固有のＩＤの相当する番号や文字・記号、例えばＬＡＮ機能を搭載した受信機であればＭＡＣ−ＩＤの値を記載し、所定の手続きを経て放送波での送出を開始する。
【００３０】
受信機は、チューナー部１０１、デモジュレータ部１０２、ＤｅＭＵＸ部１０３を経てＣＰＵ部１０６との間で告知情報から「メーカーＩＤ」、「モデルＩＤ」を取得し、これより自己機が対象であると判断できれば、告知情報の「メーカーが自由に利用できる情報エリア＝private_data_byte」と受信機のＬＡＮシステム部１１１のＭＡＣ−ＩＤを取得して比較処理を行い、両者が一致した場合は、「ソフトウェア送出チャンネルと日時の情報」をもとに予約起動用サブＣＰＵ１０８へ受信予約登録を行う。これと並行して、「ユーザー宛メッセージ情報＝text_char」に基づいて、ＣＰＵ部１０６は映像出力部１０５との間でメッセージ画面を生成し、間も無くソフトウェア更新が行われる旨表示、該日時に更新処理が行われる。
【００３１】
次に、本発明の第３の実施の形態によるソフトウェア更新技術について説明を行なう。第１の実施の形態と同様にしてソフトウェア更新を行う事が決定すると、告知情報ＳＤＴＴ中の「メーカーが自由に利用できる情報エリア＝private_data_byte」に更新対象となる受信機を限定する受信機操作履歴を記載し、所定の手続きを経て放送波での送出を開始する。
【００３２】
受信機操作履歴は図２に示すように、各操作メニューの操作回数としてデータ格納される様式である。最大値となった時点でカウントを止め、ソフトウェア更新される事で全てリセットされる。
【００３３】
受信機は、チューナー部１０１、デモジュレータ部１０２、ＤｅＭＵＸ部１０３を経てＣＰＵ部１０６との間で告知情報から「メーカーＩＤ」、「モデルＩＤ」を取得し、自己機が更新対象と判断されると、告知情報の「メーカーが自由に利用できる情報エリア＝private_data_byte」と受信機の情報格納メモリー部１０７の操作履歴情報を比較処理し、後者（操作回数又は情報エリア）の値が大きい場合「ソフトウェア送出チャンネルと日時の情報」を基に予約起動用サブＣＰＵ１０８へ受信予約登録を行う。
【００３４】
並行して「ユーザー宛メッセージ情報＝text_char」からＣＰＵ部１０６は映像出力部１０５との間でメッセージ画面を生成し、間も無くソフトウェア更新が行われる旨を表示し、該日時に更新処理が行われる。
【００３５】
次に、本発明の第４の実施の形態について説明する。第１の実施の形態と同様にしてソフトウェア更新を行うことが決定したら、告知情報中の「メーカーが自由に利用できる情報エリア＝private_data_byte」に更新対象となる受信機を限定する受信機視聴履歴を記載し、所定の手続きを経て放送波での送出を開始する。
【００３６】
受信機視聴履歴は、図６に示すように、各チャネル（ｃｈ）について視聴回数がデータとして格納される様式とし、視聴される毎にインクリメントした値が格納される。視聴回数が最大値となった時点でカウントを止める。ソフトウェアが更新されると、右図の各チャネルと、その視聴回数のデータと、が全てリセットされる。
【００３７】
受信機は、チューナー部１０１、デモジュレータ部１０２、ＤｅＭＵＸ部１０３を経てＣＰＵ部１０６との間で告知情報から「メーカーＩＤ」、「モデルＩＤ」を取得し、自己機が更新対象機であると判断できれば、告知情報の「メーカーが自由に利用できる情報エリア＝private_data_byte」と受信機の情報格納メモリー部１０７の視聴履歴情報を比較処理し、後者の値が大きい場合に「ソフトウェア送出チャンネルと日時の情報」をもとに予約起動用サブＣＰＵ１０８へ受信予約登録を行う。並行して「ユーザー宛メッセージ情報＝text_char」からＣＰＵ部１０６は映像出力部１０５との間でメッセージ画面を生成し、間も無くソフトウェア更新が行われる旨表示、該日時に更新処理が行われる。
【００３８】
次に、本発明の第５の実施の形態による受信機について説明する。本実施の形態においては、受信機の情報格納用メモリー１０７に、新たに個体識別を表す数字や文字・記号を出荷までに記憶させる。ソフトウェア更新を行う旨が決定すると、告知情報中の「ユーザー宛のメッセージ情報＝text_char」に更新対象となる受信機個体を特定する数字や文字・記号を含むメッセージをユーザーにも読める内容及び形式で記載し、所定の手続きを経て放送波によって送出を開始する。  受信機は、チューナー部１０１、デモジュレータ部１０２、ＤｅＭＵＸ部１０３を経てＣＰＵ部１０６との間で告知情報から「メーカーＩＤ」、「モデルＩＤ」を取得し、自己機が更新対象と判断できれば告知情報の「ユーザー宛のメッセージ情報＝text_char」に記載の受信機個体を特定する数字や文字・記号部分（すなわちユーザーが読める内容・形式としているいわゆる冗長な表現を除く「個体を特定する記述」のみの情報部分）と情報格納用メモリー１０７の個体識別を表す情報を比較処理し、一致した場合に、「ソフトウェア送出チャンネルと日時の情報」を基に予約起動用サブＣＰＵ１０８へ受信予約登録を行う。これと並行して「ユーザー宛メッセージ情報」からＣＰＵ部１０６は映像出力部１０５との間でメッセージ画面を生成し、間も無くソフトウェア更新が行われる旨表示、該日時に更新処理が行われる。
【００３９】
次に、本発明の第６の実施の形態による受信機について説明する。
上記と同様に、ソフトウェア更新を行う旨が決定すると、告知情報中の「ユーザー宛のメッセージ情報＝text_char」に更新対象となる受信機個体を特定できる受信機が別用途で搭載している受信機個体固有のＩＤの相当する番号や文字・記号、例えばＬＡＮ機能と搭載した受信機であればＭＡＣ-ＩＤの値を含むメッセージをユーザーにも読める内容及び形式で記載し、所定の手続を経て放送波での送出を開始する。受信機は告知情報をチューナー部１０１、デモジュレータ部１０２、ＤｅＭＵＸ部１０３を経てＣＰＵ部１０６で告知情報中の「メーカーＩＤ」、「モデルＩＤ」を取得し、自己機が更新対象と判断できれば、告知情報の「ユーザー宛のメッセージ情報＝text_char」に記載のＭＡＣ−ＩＤを示す記述（すなわちユーザーが読める内容・形式とし手いるいわゆる冗長な表現を除く「ＭＡＣ−ＩＤ」のみの情報部分）と受信機のＬＡＮシステム部１１１のＭＡＣ−ＩＤとを比較処理し、両者が一致した場合に、「ソフトウェア送出チャンネルと日時の情報」を基に予約起動用サブＣＰＵ１０８へ受信予約登録を行う。これと並行して「ユーザー宛メッセージ情報＝text_char」からＣＰＵ部１０６は映像出力部１０５との間でメッセージ画面を生成し、間も無くソフトウェア更新が行われる旨表示、該日時に更新処理が行われる。
【００４０】
次に、本発明の第７の実施の形態による受信機について説明する。上記と同様に、ソフトウェア更新を行うことが決定すると、告知情報中の「ユーザー宛のメッセージ情報＝text_char」に更新対象となる受信機を限定する受信機操作履歴を含むメッセージをユーザーにも読める内容及び形式で記載し、所定の手続きを経て放送波での送出を開始する。受信機操作履歴は、図４に示すように、各操作メニューを操作回数としてデータ格納される様式とし、操作回数が最大値となった時点でカウントを止め、ソフトウェア更新を行なうと、全てのデータと操作回数とがリセットされる。受信機はチューナー部１０１、デモジュレータ部１０２、ＤｅＭＵＸ部を経てＣＰＵ部１０６で告知情報中の「メーカーＩＤ」、「モデルＩＤ」を取得し、自己機が更新対象であると判断できれば、告知情報の「ユーザー宛のメッセージ情報＝text_char」に記載の操作履歴情報を示す記述（すなわちユーザーが読める内容・形式としているいわゆる冗長な表現を除く「受信機操作履歴情報の記述」のみの情報部分）と受信機の情報格納メモリー部１０７の操作履歴情報とを比較処理し、後者の値が大きい場合「ソフトウェア送出チャンネルと日時の情報」を基に予約起動用サブＣＰＵ１０８へ受信予約登録を行う。並行して「ユーザー宛メッセージ情報＝text_char」からＣＰＵ部１０６は映像出力部１０５との間でメッセージ画面を生成し、間も無くソフトウェア更新が行われる旨表示、該日時に更新処理が行われる。
【００４１】
次に、本発明の第８の実施の形態による受信機について説明する。同様にソフトウェア更新を行うことが決定すると、告知情報中の「ユーザー宛のメッセージ情報＝text_char」に更新対象となる受信機を限定する受信機視聴履歴を含むメッセージをユーザーにも読める内容及び形式で記載し、所定の手続きを経て放送波での送出を開始する。受信機操作履歴は図７に示すように、各チャネル（ｃｈ）について視聴回数がデータ格納される様式とし、操作回数が最大値となった時点でカウントを止め、ソフトウェアが更新されると、全てのデータと値とがリセットされるようになっている。受信機は、チューナー部１０１、デモジュレータ部１０２、ＤｅＭＵＸ部１０３を経てＣＰＵ部１０６で告知情報の中の、「メーカーＩＤ」、「モデルＩＤ」を取得し、自己機が更新対象であると判断できれば、告知情報の「ユーザー宛のメッセージ情報＝text_char」に記載の視聴履歴情報を示す記述（すなわちユーザーが読める内容・形式としているいわゆる冗長な表現を除く「受信機視聴履歴情報の記述」のみの情報部分）と受信機の情報格納メモリー部１０７の視聴履歴情報とを比較処理し、後者の値が大きい場合に「ソフトウェア送出チャンネルと日時の情報」を基に予約起動用サブＣＰＵ１０８へ受信予約登録を行う。並行して「ユーザー宛メッセージ情報＝text_char」からＣＰＵ部１０６は映像出力部１０５との間でメッセージ画面を生成し、間も無くソフトウェア更新が行われる旨表示、該日時に更新処理が行われる。
【００４２】
尚、上記第１から第８までの各実施の形態の共通事項として、受信機の持つ値と告知情報が持つ判定値とは両者の値の一致の他、いずれか値が大きい又は小さいという条件を使用しても良い。
【００４３】
図３は、本実施の形態による告知情報から個体識別情報としてprivate_data_byteを利用した判定処理例を示すフローチャート図であり、第１から第４までの実施の形態において共通の処理である。
【００４４】
受信機は告知情報取得後（ステップＳ１）、ステップＳ２において、private_data_byteが有るか否かを判定し、ある場合（Ｙｅｓ）、ステップＳ３で更新情報解析処理を実施しprivate_data_byteの中の記述情報と、図１の情報格納メモリー１０７にある受信機固体識別情報と比較し（ステップＳ４、Ｓ５）、更新対象であると判断された場合（Ｙｅｓ）、受信機は受信予約処理、再起動後のソフトウェア受信処理など一連の更新処理を完了し（ステップＳ６）、次のソフトウェア更新処理に備え待機する（ステップＳ７）。
【００４５】
一方、図５は本実施の形態による告知情報から個体識別情報としてtext_charを利用した判定処理の処理例を示すフローチャート図であり、第５から第８までの実施の形態において共通の処理である。
【００４６】
受信機は告知情報取得後（ステップＳ１１）、ステップＳ１２でtext_info_flagが立っているか否かを判定し、フラグが立っている場合（Ｙｅｓ）、ステップＳ１３において更新情報解析処理を実施し、図１の情報格納メモリーにある履歴情報と比較し（ステップＳ１４、Ｓ１５）、更新対象である場合（Ｙｅｓ）、受信機は受信予約処理、再起動後のソフトウェア受信処理など一連の更新処理を完了し（ステップＳ１６）、次のソフトウェア更新処理に備え待機する（ステップＳ１７）。
【００４７】
本発明により、放送電波を利用した受信機ソフトウェア更新において、同じモデルＩＤの機種に対し更に限定条件を加え個体選択的な更新が実施できる。また受信機の利用状況に応じた選択的な更新処理が実施出来るようになる。
【００４８】
以上、本実施の形態による技術によれば、受信機ソフトウェアの更新を、受信機ハード個体を限定して行なうことができる。また、ユーザーの利用状態に応じて実施することも可能である。従って、放送波を利用して受信機ソフトウェアの更新を行なう場合における自由度が増すという利点がある。
【産業上の利用可能性】
【００４９】
本発明は、受信機のソフトウェア更新に利用可能である。
【図面の簡単な説明】
【００５０】
【図１】本発明の一実施の形態による受信機の一構成例を示す機能ブロック図である。
【図２】private_data_byteに記載する限定更新判別情報フォーマットの記載例を示す図である。
【図３】本実施の形態による告知情報から判別情報の判定処理の流れを示すフローチャート図である。
【図４】text_charに記載する限定更新判別情報フォーマットの記載例を示す図である。
【図５】本実施の形態による告知情報から判別情報の判定処理の流れを示すフローチャート図である。
【図６】private_data_byteに記載する限定更新判別情報フォーマットの記載例を示す図である。
【図７】text_charに記載する限定更新判別情報フォーマットの記載例を示す図である。
【符号の説明】
【００５１】
１０１  チューナー部
１０２  デモジュレータ部
１０３  ＤｅＭＵＸ部
１０４  ＭＰＥＧデコーダー部
１０５  映像出力部
１０６  ＣＰＵ部
１０７  情報格納用メモリー部
１０８  予約起動用サブＣＰＵ部
１１０  映像表示部
１１１  ＬＡＮシステム部
【図１】
2008278098.tif 000003
【図２】
2008278098.tif 000004
【図３】
2008278098.tif 000005
【図４】
2008278098.tif 000006
【図５】
2008278098.tif 000007
【図６】
2008278098.tif 000008
【図７】
2008278098.tif 000009